(57)【要約】【課題】  設置と撤去が容易なトンネル用仮設防音ハウスを提供する。【解決手段】  トンネル坑口１付近の施工に伴って発生する騒音を防止するために、坑口１前に設置され、複数のアーチ材２１を連結材２２で連結し、アーチ材の外周またはフランジ間に面材２３を設置し、シート２４で覆うトンネル用仮設防音ハウスである。アーチ材２１にトンネル用鋼製支保材を用いることで設置と撤去が容易となる。【選択図】図２
2017137644.tif 000002
【特許請求の範囲】
【請求項１】
トンネル坑口前に設置され、アーチ材と連結材と面材とシートと防音扉で構成されているトンネル用仮設防音ハウスであって、
前記アーチ材がＨ形鋼のトンネル用鋼製支保材であり、前記複数のアーチ材を前記連結材で連結し、前記アーチ材の外周またはフランジの間に前記面材を設置し、前記面材の外側を前記シートで覆い、前記坑口とは反対側の端面に前記防音扉を設置したことを特徴とするトンネル用仮設防音ハウス。
【請求項２】
前記面材と前記シートの間に吸音層を設けることを特徴とする請求項１に記載のトンネル用仮設防音ハウス。
【請求項３】
前記面材に孔が設けられていることを特徴とする請求項１または請求項２に記載のトンネル用仮設防音ハウス。
【発明の詳細な説明】
【技術分野】
【０００１】
本発明は、トンネル施工時に発生する騒音を低減するためのトンネル用防音ハウスに関するものである。
【背景技術】
【０００２】
従来、トンネル工事に伴って発生する騒音に対しては、坑口に防音扉を設置する対策が一般的であった。しかし、防音扉はトンネルの掘削が進み坑口の施工が完了した後にしか設置できない。特許文献１には、坑口前に設置する防音ハウスが開示されている。この種の防音ハウスは、トンネル施工時の発破音を遮音する目的で設置されているため、遮音性能は高いものの、設置および撤去の容易性は考慮されていない。
従来のトンネル用防音ハウスは、坑口付近の施工開始時または完了後に直ちに設置、撤去する場合は施工に手間がかかる。
【先行技術文献】
【特許文献】
【０００３】
【特許文献１】特開２０００９−６２７６０号公報
【発明の概要】
【発明が解決しようとする課題】
【０００４】
トンネル施工現場によっては、坑口付近の施工完了後直ちに設置、撤去する必要がある場合がある。
そこで、本発明は設置撤去が容易な仮設防音ハウスを提供する。
【課題を解決するための手段】
【０００５】
本発明は、トンネル工事に使用する資材、機材を用いて構築したトンネル坑口用防音ハウスであり、次の構成を主とする。
１．本願の第１発明はアーチ材と連結材と面材とシートと防音扉で構成されているトンネル用防音ハウスであって、
トンネル用鋼製支保材であるアーチ材を複数並設し、隣接するアーチ材を前記連結材で繋ぎ、面材を配置して周壁面を形成し、面材の外周をシートで覆い、坑口対向妻面は解放されており、他方の妻面には防音扉が設置されていることを特徴とする仮設防音ハウス。
２．面材とシートの間に吸音層を設けたことを特徴とする１．記載の防音ハウス。
３．多数の小孔が設けられていることを特徴とする２．記載の防音ハウス。
【発明の効果】
【０００６】
本発明は、少なくとも骨組みとしてトンネル支保工に使用するアーチ材を使用することにより、トンネル工事用の資材および構築機材を利用することができ、トンネル用防音ハウスの設置もしくは撤去を容易に出来る。
また、撤去後は仮設防音ハウスに使用した資材を本設のトンネルに利用できるため廃棄物が発生しない、または、資材の移動も無く、資材運搬の必要が少ない。
また、トンネル形状と同一断面の仮設防音ハウスであるため、トンネル施工機械や資材の運搬や作業が、トンネル内部と同じ意識で行うことができ、安全管理上も適している。
【図面の簡単な説明】
【０００７】
【図１】本発明のトンネル用仮設防音ハウスの全体の構成を説明する斜視図である。
【図２】本発明のトンネル用仮設防音ハウスの全体の構成を説明する斜視図である。
【図３】本発明の第一の実施形態を説明する横断面図である。
【図４】本発明の第二の実施形態を説明する断面図である。
【図５】本発明の第三の実施形態を説明する断面図である。
【図６】本発明の第三の実施形態を説明する断面図である。
【発明を実施するための形態】
【０００８】
本発明の仮設防音ハウスは、骨組としてトンネル用のアーチ材を用いて形成したトンネル工事の初期にトンネル抗口に設置される。
仮設防音ハウスは、骨組みとなる複数のアーチ材、複数のアーチ材を水平方向に連結する連結材、ハウスの周面を形成する板状の面板材とさらに外同面を覆うシート材及び、妻側に設けられた防音扉を備えた妻壁を備えている。
仮説防音ハウスは、開口面抗口の同面の地山に密着しており、設置状態では密閉可能な空間を形成して、抗口工事に伴う騒音が遮断され、周辺に対する防音効果を発揮する。
防音性能を高める必要がある場合は、吸音材や吸音構造を付加する。
本発明では、アーチ材や面材などの防音ハウスの主要構造材として、トンネル工事に使用する資材を利用するので、防音ハウスの構築あるいは撤去作業にトンネル工事用機材を活用できる。撤去後の資材もトンネル工事に利用できるので、廃棄物の発生量を抑制できる。
【０００９】
[アーチ材]
アーチ材は、トンネル支保工として使用されるアーチ型の鉄骨材を用いる。Ｈ形鋼である。間隔を開けて複数本を立設する。
[連結材]
連結材は、隣接するアーチ材を繋ぐ棒状の横臥材である。棒鋼、山形鋼材、溝形鋼材、パイプ材などである。
[面材]
面材は、板状の材料である。骨組みの上に配設されて、殻体を形成する。トンネルで用いられる木製矢板を利用することができる。木製以外に、鋼板でもよい。遮音機能を発揮する。
[シート材]
シート材は、ビニルシートなどの表面覆い材で、雨などを遮断する。
[吸音材]
吸音材（吸音構造）は、材質的に吸音性を発揮する材料や小孔を設けた吸音構造などを形成して、防音効果を高める機能を果たす。
[その他]
防音ハウスの出入り口を、坑口と反対側の妻壁側あるいはアーチの側面に設ける。妻壁側に設ける出入り口は、トンネル断面と同じアーチ形に用いられているので、架設の防音ハウスを撤去後、坑口に移動して、出入り口を再利用することもできる。
【００１０】
≪構築方法≫
アーチ材を複数建て込みながら、連結材で隣接するアーチ材をつなぎ合わせて、自立する骨組みを作る。アーチ材の間隔は、面材を差し渡すことができる程度の間隔とする。
建て込んだアーチ材の間に面材を取り付けて、アーチ形の表面を面材で覆う。面材は、Ｈ形鋼の内外のフランジの間に挿入すること、あるいは、外フランジの外面に沿うように設けることもできる。
面材の上に、シート材で覆って、アーチ部を形成する。
出入り口を妻壁側に形成する場合は、妻面のアーチ材断面方向の中央部に出入り用のドア枠を設け、妻面アーチ材の左右を連結するように、連結材を横臥し、ドア枠部分は、ドア枠と妻面アーチ材を繋ぎ、妻面の骨組みとし、ドア枠にはドアを取り付け、他の部分は、面材を貼り、さらにシート材で覆う。
アーチ材の建て込み等に使用する機器として、トンネルの施工でトンネル用鋼製支保材を建込み時に使用するエレークターブームを備えた重機を使用することができる。そのため、アーチ材と連結材を組み立てる際に、別途重機を手配する必要がない。
【００１１】
≪撤去方法≫
撤去も建て込みと同様にトンネル用重機を利用することができ、特別な作業員や業者を手配すること無く、手慣れた現場のトンネル作業員で作業をすることができる。
【００１２】
≪撤去後の抗口付近の状態≫
トンネルがある程度掘り進んで、トンネルの入り口部に消音装置や防音装置を設置できるようになった後に、仮設防音ハウスを撤去し、坑口に出入り口を設定する。
仮設防音ハウスは、撤去後の跡地は、作業所、付属プラントや荷物ヤードに利用でき、トンネル作業の効率が向上する。
【００１３】
以下、本発明の実施の形態を図面に基づいて説明する。図２に示す第一の実施形態のトンネル用仮設防音ハウス（以下  防音ハウス２）は、坑口１前に設置された状態を示す。
図１、図２は、防音ハウス２の全体の構成を説明する。
防音ハウス２は、アーチ材２１、連結材２２、面材２３、シート２４、防音扉３で構成される。
防音ハウス２は、坑口付近を施工する際に必要となり、直ちに組立が完了することが求められる。そのため、現場に配置された重機、手配が容易な汎用性の高い材料を使用できれば、防音ハウス２の設置は容易となる。
【００１４】
アーチ材２１は、トンネルの支保工で使用するＨ形鋼のトンネル用鋼製支保材を使用する。
連結材２２は、調達が容易な溝形鋼を使用する。連結材には山形鋼、溝形鋼、Ｈ形鋼、パイプ、棒材、等を使用すればよく、素材も鋼材、樹脂、木材を使用してもよい。
アーチ材２１はトンネル用鋼製支保材を使用するので、トンネルの施工でトンネル用鋼製支保材を建込み時に使用するエレークターブームを備えた重機を使用することができる。そのため、アーチ材２１と連結材２２を組み立てる際に、別途重機を手配する必要がない。
図１に示すように、アーチ材２１を連結材２２でトンネル軸方向に連結し、骨組みを形成する。
【００１５】
アーチ材２１、連結材２２の組み立てが完了後、面材23を設置する。
面材２３には、木製矢板を使用した。木製矢板は、安価であり手に入り安い材料である。また、木製矢板は３ｃｍ程度の厚みがあり吸音性に優れている。さらに、木製で軽量であるため組立が容易である。
面材２３はアーチ材２１の外側にはめても良いし、アーチ材２１がＨ形鋼であることを利用して、フランジ間に設置してもよい。
面材２３の設置が完了後、シート２４を設置する。シート２４は、面材の外に設置し、全体を覆う。シート２４には塩化ビニル製の防音シートを使用することができる。  シート２４に防水性を有する合成樹脂製のシートを使用すれば、雨水の侵入を防ぐだけではなく、防音効果を高めることができる。
【００１６】
最後に、防音扉４を設置する。防音扉４の設置は骨組みや形成前に設置してもよいし、面材２３の設置後でも良く、他の施工に影響されないので設置の時期は限定されない。防音扉４には、公知の防音扉を使用すればよくH形鋼と木製矢板の組み合わせから成る壁体を使用した。公知の防音扉には、支保工固定式防音扉、そり式防音扉、坑口固定式防音扉があり、適宜現場の状況に応じて選択すれば良い。
【００１７】
坑口１付近の施工が終了し、防音ハウス２が不要となった場合は、施工の妨げとならないように直ちに防音ハウス２を撤去する必要がある。防音ハウス２を撤去する際は、組立時と同様に、施工で使用する重機を使用すればよく、別に重機を容易する必要がない。
アーチ材２１にトンネル用鋼製支保材を使用した場合、解体後のトンネル用鋼製支保材は本設の支保材として利用出来る。そのため、廃棄費用や運搬費用が発生しない。
防音扉３は、坑口付近の施工が完了した後は、坑口に設置してトンネルの施工が完了するまで使用する。
【実施例】
【００１８】
実施例１
図３には、第一の実施形態を説明する断面図を示す。アーチ材２１と連結材２２の組立が完了後、面材２３はアーチ材２１の外周部に設置し、面材２３の外周部にシート２４を覆うように設置した。
【００１９】
実施例２
図４には、第二の実施形態を説明する断面図の拡大を示す。
第二の実施形態は、面材２３をアーチ材２１のフランジ間に設置する。またフランジ間に吸音層４を設置することで、防音性能をさらに高めることができる。吸音層４には公知の材料を使用すればよく、ウレタン、ロックウール、グラスウール等がある。
【００２０】
実施例３
図５、図６には第三の実施形態を説明する断面図の拡大を示す。
図５に示すように、面材２３に孔２３１を開けることにより、さらに吸音性を高める。そのとき、面材２３とシート２４の間は第二の実施形態と同様に、吸音層４を設置する。また図６に示すようにアーチ材２１のフランジ間にウェブよりも薄い面材２３を設置し残りの空間に空気層５を設ける。
【符号の説明】
【００２１】
１：坑口
２：トンネル用仮設防音ハウス
２１：アーチ材
２２：連結材
２３；面材
２３１：孔
２４：シート
３：防音扉
４：吸音層
５：空気層
【図１】
2017137644.tif 000003
【図２】
2017137644.tif 000004
【図３】
2017137644.tif 000005
【図４】
2017137644.tif 000006
【図５】
2017137644.tif 000007
【図６】
2017137644.tif 000008